(57)【要約】【課題】付属機材の衛生洗浄装置本体への収容と着脱を安全行うことにより、データの更新が容易に行うことができる衛生洗浄装置を提供することを目的とする。【解決手段】少なくとも付属機材の収容部１３を本体１０の側面上方に備え、前記収容部の蓋体１４を本体側面１０ａの上端部に配設することにより、付属機材は蓋体１４を開閉することにより着脱自在となり、しかも収容部１３は衛生洗浄装置の水を使用する部分より一番離れた本体側面１０ａ上端部に配置しているため、付属機材に水がかかったり、また誤って便器鉢内に落とし難くなり、安全に使用することができる。【選択図】図２
2007100436.tif 000002
【特許請求の範囲】
【請求項１】
少なくとも局部洗浄ノズルと、制御手段を有する衛生洗浄装置において、少なくとも付属機材を出し入れ自在に収容する収容部を衛生洗浄装置の本体の側面上方に備え、前記収容部の蓋体を前記本体側面の上端部に配設したことを特徴とする衛生洗浄装置。
【請求項２】
蓋体は、その外面が本体側面と同一面を形成するように、本体に設けた蓋体受け部に嵌合し、蓋体受け部の両側端と摺動しながら上下方向に着脱する構成としたことを特徴とする請求項１に記載の衛生洗浄装置。
【請求項３】
蓋体の裏面の両側端近傍に設置したリブの下部を後方に延設したリブ突起部を形成し、収容部の上方には規制部を形成し、蓋体を上方向に摺動して取り外すときに、前記リブ突起部が前記規制部に係合することにより、蓋体の飛び出しを規制することを特徴とする請求項１または２に記載の衛生洗浄装置。
【請求項４】
付属機材は記録媒体であることを特徴とする請求項１〜３のいずれか１項に記載の衛生洗浄装置。
【発明の詳細な説明】
【技術分野】
【０００１】
本発明は、衛生洗浄装置の本体に設けられる記録媒体、脱臭剤、フィルタ等の付属機材の収容部に設けた蓋体の取付構造に関するものである。
【背景技術】
【０００２】
従来、この種の付属機材を出し入れ自在に収容する収容部を備えた衛生洗浄装置としては、装置本体に外部記憶装置の収容部としてフラッシュメモリードライブやＣＤ−Ｒドライブを設置し、外部より音楽情報等の音声データの更新を可能とするとともに、音声データを出力可能な出力手段と、入力手段及び出力手段を制御可能な処理装置とを備えた便器装置が知られている（例えば、特許文献１参照）。
【０００３】
図９は、特許文献１に記載された従来の衛生洗浄装置を示すものである。図９に示すように便器装置１が洋風便器本体２に設けられ、いわゆる便器一体型衛生洗浄装置である一体型洋風水洗式便器を構成している。便器装置１は、洋風便器本体２の側方に位置する装置本体３を有している。装置本体３には、外部記憶装置の収容部であるフラッシュメモリードライブ４とＣＤ−Ｒドライブ５を備えており、フラッシュメモリーあるいはＣＤ−Ｒを介して音声データを自由に入れ替えることができる。また出力手段としてのスピーカ６を備えており、使用者の趣向に合わせて音楽情報を楽しむことができる。
【特許文献１】特開２００３―３５５０号公報
【発明の開示】
【発明が解決しようとする課題】
【０００４】
しかしながら、前記従来の構成では、洋風便器本体の側方の低い位置に設置した装置本体に、フラッシュメモリードライブやＣＤ−Ｒドライブ等の外部記憶装置の収容部が設けられているため、外部記憶装置の着脱は、床に近い場所でまた狭いスペースで行うこととなり、やりにくく面倒な作業であった。さらに、外部記憶装置は電気的に接合されるものであるに関わらず、洋風便器本体の上面開口部より低い位置で、しかも蓋体等で覆われておらず露出して設けられているため、トイレ室内での手洗時等の水かかりによって不具合をおこすことも考えられていた。
【０００５】
本発明は、前記従来の課題を解決するもので、水回りという特殊環境において、記憶媒体等の付属機材を安全に保管し、かつ安全に着脱できる衛生洗浄装置を提供することを目的とする。
【課題を解決するための手段】
【０００６】
前記従来の課題を解決するために、本発明の衛生洗浄装置は、少なくとも付属機材の収容部を本体の側面上方に備え、前記収容部の蓋体をの本体側面上端部に配設したものである。
【０００７】
これによって、付属機材はは蓋体を開閉することにより着脱自在となり、しかも収容部は衛生洗浄装置の水を使用する部分より一番離れた本体の側面上端部に配置しているため、付属機材に水がかかったり、また誤って便器の溜め水内に落としにくく、安全に使用することができるものである。
【発明の効果】
【０００８】
以上のように、本発明の衛生洗浄装置は、付属機材の衛生洗浄装置本体への収容と着脱を安全行うことにより、付属機材の交換や、付属機材に付加した機能やデータの更新を安
全かつ容易に行うことができる。
【発明を実施するための最良の形態】
【０００９】
第１の発明は、少なくとも局部洗浄ノズルと、制御手段を有する衛生洗浄装置において、少なくとも付属機材を出し入れ自在に収容する収容部を衛生洗浄装置の本体の側面上方に備え、前記収容部の蓋体を前記本体側面の上端部に配設したことにより、付属機材の収容部および収容部を覆う蓋体が本体の側面上方にあるため、付属機材の出し入れや蓋体の着脱はトイレの狭いスペースに手を伸ばして行うことがなく、しかも収容部および蓋体は便器本体から離れた位置となるため、着脱する付属機材や蓋体を誤って便器鉢内に落し難くなる。さらに、蓋体によって収容部への水かかりを防止し安全に使用することができる。
【００１０】
第２の発明は、第１の発明において、蓋体は、その外面が本体側面と同一面を形成するように、本体に設けた蓋体受け部に嵌合し、蓋体受け部の両側端と摺動しながら上下方向に着脱する構成としたことにより、蓋体と本体側面は同一面で仕上がることで蓋体が目立たなくなり、外観デザイン性を向上することができるとともに、不慮の接触による蓋体の外れ防止や、また段差を極力少なくすることにより、汚れの付着を防止することができる。また、蓋体は上下方向に摺動することで開閉および着脱が可能となり、狭くかつ低い位置に設置されている衛生洗浄装置の蓋体を着脱しやすくすることができる。
【００１１】
第３の発明は、第１または第２の発明において、蓋体の裏面の両側端近傍に設置したリブの下部を後方に延設したリブ突起部を形成し、収容部の上方には規制部を形成し、蓋体を上方向に摺動して取り外すときに、前記リブ突起部が前記規制部に係合することにより、蓋体の上方への飛び出しを規制することができるようにすることにより、蓋体の取り外し時に不用意に飛び出して、蓋体が便器鉢内に落下し難くなる。しかも、この状態で蓋体をそのまま上方に引っ張ればリブ突起部が規制部の外側に逸れるように摺動し、蓋体を取り外すことができる。
第４の発明は、第１〜第３のいずれか１つの発明において、付属機材は記録媒体であることにより、記録媒体はデータの書換え等も行うため着脱の頻度も多く、また電気的に接合されるもので水かかりによる損傷も大きく、上述の効果をより発揮することができる。
【００１２】
以下、本発明の実施の形態について、図面を参照しながら説明する。なお、本実施の形態によって本発明が限定されるものではない。
（実施の形態１）
図１は、本発明の実施の形態１における衛生洗浄装置全体の斜視図を示し、図２は衛生洗浄装置の蓋体を本体に取り付けた状態の収容部の斜視図を示すものであり、図３は蓋体を取り外した状態の収容部の斜視図を示し、図４は蓋体の外面の斜視図を示し、図５は蓋体の内面の斜視図を示し、図６は蓋体を本体に取り付けた状態の断面図を示し、図７は蓋体を上方に摺動した状態の断面図を示すものであり、図８は蓋体受け部の詳細断面図を示すものである。
【００１３】
図に示すように、本実施の形態における衛生洗浄装置は後方に設置した樹脂製の外装を備えた本体１０には、上下方向に開閉自在に樹脂製の便蓋１１と便座１２が枢支してある。便座１２の内部には便座を保温する加熱手段が組み込んである。また、本体１０内部には局部を洗浄する局部洗浄ノズル（図示せず）と前記便座１１の加熱手段や局部洗浄ノズルを制御する制御手段（図示せず）が設置してある。
【００１４】
本体１０の本体側面１０ａ上端部には本体１０を凹没して収容部１３が形成してあり、収容部の開放面は樹脂製の蓋体１４で開閉自在に閉塞している。収容部１３の奥部には記憶媒体（図示せず）を水平方向に挿入する挿入部１３ａが設けてあり、挿入部１３ａに挿
入した記憶媒体は前記制御手段と電気的に接合した状態となっている。
【００１５】
蓋体１４の外面１４ａは本体側面１０ａと同一面をなしており、蓋体１４の上辺１４ｂは本体側面１０ａの上辺と一致している。蓋体１４の内面の両側部には上下方向にリブ１４ｃが一体に形成してあり、リブ１４ｃの下端部には後方に延設したリブ突起部１４ｄが一体に形成してある。また、蓋体１４の下端部には下方に突出した係止片１４ｅが形成してあり、係止片１４ｅの先端部には外面１４ａ側に突出した係止爪１４ｆが形成してある。
【００１６】
収容部１３の外周部には、蓋体１４が所定位置に滑合できるように段落ち状に形成した蓋体受け部１６が形成してある。蓋体受け部１６の内周部には突縁１６ａを設けることにより蓋体受け部１６の上部と両側部には排水溝１６ｂが形成してあり、下部には防水提１６ｃが形成してある。また、蓋体受け部１６下部の防水提１６ｃより外方は下方に向かった傾斜面１６ｄとなっており、蓋体受け部１６に浸入した水は排水溝１６ｂと傾斜面１６ｄを通って外部に排出される構成となっている。
【００１７】
また、収容部１３の下部には蓋体１４の係止片１４ｅを受け入れ、蓋体１４を固定する係止穴１３ｂが形成してあり、上部には、蓋体１４のリブ突起部１４ｄが当接することにより蓋体１４の上方への飛び出しを規制する規制部１３ｃが設けてある。
【００１８】
また、本体１０の側面内部にはスピーカ１５が設置してあり、スピーカ１５は前記制御手段と電気的に接合しており、制御手段から発信する警報や音楽等の音声信号を発音する。
【００１９】
以上のように構成された衛生洗浄装置について、以下その動作、作用を説明する。
【００２０】
まず、図１、図２、図６に示すように衛生洗浄装置の本体１０に設けた収容部１３を蓋体１４で閉塞した状態においては、蓋体１４の外周部は蓋体受け部１６の所定位置に嵌合し、蓋体１４の下端部に形成した係止片１４ｅの先端に形成した係止爪１４ｆは収容部１３の係止穴１３ａに咬合しており、蓋体１４が不用意に脱落することを防止している。
【００２１】
また、蓋体１４の外面１４ａと本体側面１０ａは同一面をなしており、蓋体１４の上辺１４ｂは本体１０の上辺と一致しており、本体１０と蓋体１４は一体化した外観をなしている。
【００２２】
また、この状態において蓋体１４に水がかかった場合、蓋体１４と蓋体受け部１６の接合部から収容部１３内部に浸入しようとすると、浸入した水は蓋体受け部１６に形成した排水溝１６ｂと傾斜面１６ｄを通過して本体１０の外に排出され、収容部１３内部まで浸水することがない。
【００２３】
上記状態の蓋体１４を開放する場合は、蓋体１４を上方向に押し上げると、係止爪１４ｆと係止穴１３ｂに咬合が解除され、蓋体１４は蓋体受け部１６に沿って摺動する。このとき蓋体１４の内面に形成したリブ突起部１４ｄが収容部１３の規制部１３ｃに当接し、それ以上上方には移動することを規制するため、蓋体１４の上方への飛び出しを防止することができる。蓋体を完全に取り外す場合は、この状態で蓋体１４をそのまま上方に引っ張ればリブ突起部１４ｄが規制部１３ｃの外側に逸れるように摺動し、蓋体を取り外すことができ、収容部１３を開放することができるので、記憶媒体の挿入部１３ａへの挿入および取り外しを行うことができる。
【００２４】
以上のように、本実施の形態においては、収容部を、衛生洗浄装置本体の側面上端部に
配置したことにより、便器の溜め水や局部洗浄ノズルから離れた位置となるため、収容部に水がかかったり、また収容部から取り外した蓋体や記憶媒体を便器の溜め水に誤って落とし難くなり、また、人体からみて低い位置に設置されている衛星洗浄装置において、蓋体は、その外面は衛生洗浄装置とデザイン性を有する形状をしていても、その取付け位置が簡単に把握でき、狭いトイレ空間でも容易に蓋体を着脱することができる。
【００２５】
また、蓋体を蓋体受け部から取り外そうとした場合、蓋体内面のリブ突起部が収容部の規制部と干渉するため、蓋体が上方に飛び出してしまうことがなく、蓋体を不用意に便器の溜め水の中に落としてしまうことがない。また、蓋体を本体に取り付ける際は、ほとんどリブ突起部を気にすることなく、本体側面部に蓋体を沿わせて蓋体受け部に下ろしていくことにより、リブがガイドとなり、容易に蓋体受け部に取り付けることができる。
【００２６】
また、蓋体を取り付けた状態で収容部に水がかかっても、蓋体受け部に形成した排水溝と傾斜面を通って外部に排出されるため、収容部に収容した記憶媒体が冠水して損傷することがない。
【００２７】
なお、本実施の形態においては、収容部には記憶媒体のみを収容したが、これに限るものではなく、脱臭手段の脱臭剤や脱臭触媒あるいはフィルタ、給水部のフィルタ、送風装置のフィルタ等の衛生洗浄装置の使用中に本体より取り外すことがある各種付属機材の１つあるいは複数を収容してもよい。また、その場合、収容部を本体の両側部、あるいはそれ以外の複数の場所に設置することも可能である。
【産業上の利用可能性】
【００２８】
以上のように、本発明にかかる衛生洗浄装置は、蓋体取り外し時の蓋体の上方への飛び出し防止が可能となるので、衛生洗浄装置だけでなく、主に水周り機器や他の商品群での用途にも適用できる。
【図面の簡単な説明】
【００２９】
【図１】本発明の実施の形態１における衛生洗浄装置の斜視図
【図２】本発明の実施の形態１における蓋体取付け状態の収容部の斜視図
【図３】本発明の実施の形態１における蓋体取外し状態の収容部の斜視図
【図４】本発明の実施の形態１における蓋体外面の斜視図
【図５】本発明の実施の形態１における蓋体内面の斜視図
【図６】本発明の実施の形態１における蓋体取付け状態の収容部の断面図
【図７】本発明の実施の形態１における蓋体取外し状態の収容部の断面図
【図８】本発明の実施の形態１における収容部の蓋体受け部の断面図
【図９】従来の衛生洗浄装置の斜視図
【符号の説明】
【００３０】
１０  本体
１０ａ  本体側面
１３  収容部
１３ｂ  規制部
１４  蓋体
１４ａ  外面
１４ｃ  リブ
１４ｄ  リブ突起部
１６  蓋体受け部
１６ｂ  排水溝（溝形状）
１６ｄ  傾斜面（傾斜）
【図４】
2007100436.tif 000003
【図５】
2007100436.tif 000004
【図６】
2007100436.tif 000005
【図７】
2007100436.tif 000006
【図８】
2007100436.tif 000007
【図９】
2007100436.tif 000008
【図１】
2007100436.tif 000009
【図２】
2007100436.tif 000010
【図３】
2007100436.tif 000011